【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
それぞれがほぼ円盤状に形成されており、同一の回転軸に所定の空隙をもって対向的に配置されるステータとロータとを含むアキシャルギャップ型電動機において、上記ステータは、環状に連結される複数個のポールメンバーを備え、上記各ポールメンバーには、隣接するポールメンバー同士を連結する連結手段を備えていることを特徴とするアキシャルギャップ型電動機。
【請求項２】
上記各ポールメンバーは、固定子鉄心を有するとともに、上記固定子鉄心にはコイル巻回用の左右一対のフランジを含むボビン形状のインシュレータが一体的に形成されており、上記インシュレータに、上記連結手段が設けられていることを特徴とする請求項１に記載のアキシャルギャップ型電動機。
【請求項３】
上記フランジは、上記インシュレータに巻回されるコイルの巻幅よりも大きくなるように形成されている請求項２に記載のアキシャルギャップ型電動機。
【請求項４】
上記連結手段として、隣接する上記各ポールメンバーの上記フランジの対向面の上記ステータの中心から見て外周側に設けられたボスとその軸受け凹部との組み合わせからなる回転可能な第１係合部材を備えている請求項１，２または３に記載のアキシャルギャップ
型電動機。
【請求項５】
上記連結手段として、隣接する上記各ポールメンバーの上記フランジの対向面の上記ステータの中心から見て内周側に設けられたボスとその軸受け凹部との組み合わせからなる回転可能な第２係合部材を備えている請求項１〜４のいずれか１項に記載のアキシャルギャップ型電動機。
【請求項６】
上記連結手段として、上記第１係合部材および第２係合部材が設けられている請求項５記載のアキシャルギャップ型電動機。
【請求項７】
上記インシュレータは、単一の絶縁材料からなる請求項２〜６のいずれか１項に記載のアキシャルギャップ型電動機。
【請求項８】
上記インシュレータは、少なくとも２つに分割された分割パーツからなり、上記各分割パーツは、上記固定子鉄心を互いに挟み込むように形成されている請求項２〜６のいずれか１項に記載のアキシャルギャップ型電動機。
【請求項９】
上記各ポールメンバーにおける上記フランジの少なくとも一方には、ポールメンバー間に掛け渡される渡り線を支持する渡り線支持部材が一体に設けられている請求項２〜８に記載のアキシャルギャップ型電動機。
【請求項１０】
上記固定子鉄心には、上記ロータの回転方向に対して所定角度傾けられたスキューが設けられている請求項２、３または４のいずれか１項に記載のアキシャルギャップ型電動機。
【請求項１１】
上記各ポールメンバーの上記フランジの対向面には、上記連結手段としてのボスと凹部との組み合わせからなる係合部材が設けられている請求項１０に記載のアキシャルギャップ型電動機。
【請求項１２】
上記係合部材は、上記ステータの中心から見て内周側および／または外周側に設けられている請求項１０または１１に記載のアキシャルギャップ型電動機。
【請求項１３】
上記各ポールメンバーにおける少なくとも一方の上記フランジの側面には、ポールメンバー間に掛け渡される渡り線を支持する渡り線収納溝が一体に設けられている請求項１〜３または１０〜１２のいずれか１項に記載のアキシャルギャップ型電動機。
【請求項１４】
上記インシュレータの一部には、各ポールメンバー同士を繋ぎ合わせて合成樹脂材にて一体化する際に、樹脂の流れをよくするための樹脂導入路が設けられている請求項１〜１３のいずれか１項に記載のアキシャルギャップ型電動機。
【請求項１５】
上記ロータは、上記ステータを挟んで左右一対に設けられている請求項１〜１４のいずれか１項に記載のアキシャルギャップ型電動機。
【請求項１６】
上記ポールメンバーが固定子鉄心を備えている場合、上記固定子鉄心は、上記ロータに対向する一対のティース部と、同ティース間に形成され、上記コイルが巻回される巻回部とを有し、上記ティース部は、上記巻回部を挟んだ左右の積層面に対する投影面積が同じである請求項２〜１５のいずれか１項に記載のアキシャルギャップ型電動機。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】変更
【補正の内容】
【００２９】
請求項１０の発明は、上記固定子鉄心には、上記ロータの回転方向に対して所定角度傾けられたスキューが設けられていることを特徴としている。また、請求項１１の発明は、上記各ポールメンバーの上記フランジの対向面には、上記連結手段としてのボスと凹部との組み合わせからなる係合部材が設けられていることを特徴としている。
【手続補正１３】
【補正対象書類名】明細書
【補正対象項目名】００３０
【補正方法】変更
【補正の内容】
【００３０】
請求項１２の発明は、上記係合部材は、上記ステータの中心から見て内周側および／または外周側に設けられていることを特徴としている。
【手続補正１４】
【補正対象書類名】明細書
【補正対象項目名】００３１
【補正方法】変更
【補正の内容】
【００３１】
請求項１３の発明は、上記各ポールメンバーにおける少なくとも一方の上記フランジの側面には、ポールメンバー間に掛け渡される渡り線を支持する渡り線収納溝が一体に設けられていることを特徴としている。
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】変更
【補正の内容】
【００３６】
請求項１４の発明は、上記インシュレータの一部には、各ポールメンバー同士を繋ぎ合わせて合成樹脂材にて一体化する際に、樹脂の流れをよくするための樹脂導入路が設けられていることを特徴としている。
【手続補正２０】
【補正対象書類名】明細書
【補正対象項目名】００３７
【補正方法】変更
【補正の内容】
【００３７】
請求項１５の発明は、上記ロータは、上記ステータを挟んで左右一対に設けられていることを特徴としている。
【手続補正２１】
【補正対象書類名】明細書
【補正対象項目名】００３８
【補正方法】変更
【補正の内容】
【００３８】
請求項１６の発明は、上記ポールメンバーが固定子鉄心を備えている場合、上記固定子鉄心は、上記ロータに対向する一対のティース部と、同ティース間に形成され、上記コイルが巻回される巻回部とを有し、上記ティース部は、上記巻回部を挟んだ左右の投影面積が同じであることを特徴としている。
【手続補正２２】
【補正対象書類名】明細書
【補正対象項目名】００４４
【補正方法】変更
【補正の内容】
【００４４】
請求項９に記載の発明によれば、渡り線の処理も同時に行うことができる。なお、渡り線を支持する好適な手段としては、渡り線を捕捉する渡り線収納溝を形成して、そこに渡り線を沿わせて収納することが好ましい。
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】削除
【補正の内容】
【手続補正２７】
【補正対象書類名】明細書
【補正対象項目名】００４９
【補正方法】削除
【補正の内容】
【手続補正２８】
【補正対象書類名】明細書
【補正対象項目名】００５０
【補正方法】削除
【補正の内容】
【手続補正２９】
【補正対象書類名】明細書
【補正対象項目名】００５１
【補正方法】変更
【補正の内容】
【００５１】
請求項１０〜１２に記載の発明によれば、ティースにスキューを有するポールメンバーを連結手段を介して環状に連結してステータ構造を構成でき、安価かつ簡単に生産することができるばかりでなく、スキューによるコギングトルクを低減することができる。
【手続補正３０】
【補正対象書類名】明細書
【補正対象項目名】００５２
【補正方法】削除
【補正の内容】
【手続補正３１】
【補正対象書類名】明細書
【補正対象項目名】００５３
【補正方法】削除
【補正の内容】
【手続補正３２】
【補正対象書類名】明細書
【補正対象項目名】００５４
【補正方法】削除
【補正の内容】
【手続補正３３】
【補正対象書類名】明細書
【補正対象項目名】００５５
【補正方法】削除
【補正の内容】
【手続補正３４】
【補正対象書類名】明細書
【補正対象項目名】００５６
【補正方法】削除
【補正の内容】
【手続補正３５】
【補正対象書類名】明細書
【補正対象項目名】００５７
【補正方法】変更
【補正の内容】
【００５７】
請求項１４に記載の発明によれば、樹脂導入路が設けられていることで、フランジ部の側面などに多少の凹凸があっても、溶融樹脂を確実に流し込んで一体化することができる。
【手続補正３６】
【補正対象書類名】明細書
【補正対象項目名】００５８
【補正方法】変更
【補正の内容】
【００５８】
請求項１５に記載の発明によれば、インシュレータを分割して構成しておくことで、固定子鉄心と一体設計した場合に比べて、それぞれを個別に生産するだけでよいため、生産性、コスト、製品品質を良くすることができる。
【手続補正３７】
【補正対象書類名】明細書
【補正対象項目名】００５９
【補正方法】変更
【補正の内容】
【００５９】
請求項１６に記載の発明によれば、固定子鉄心のティース部の投影面積が巻回部を挟んで左右同じ大きさに形成されていることにより、コイルの巻数（単位面積当たりのコイルの面積）を一定にすることができ、すなわち、単位面積当たりの磁束分布が同じになるため、鉄損やコギングトルクを少なくすることができる。